(57)【要約】【課題】可搬型のテレビジョンカメラを三脚に設置したときの、前記テレビジョンカメラの重心位置を調整可能としたテレビジョンカメラのバランス機構を提供する。【解決手段】バランス機構であるウエイト（１０）を、テレビジョンカメラ（１）の上部（具体的には、カメラヘッド（２）の上面（２ｂ））に設けられた運搬用のハンドル（カメラハンドル（９））に取り付ける。また、ウエイト（１０）の上面（１０ａ）に、第２のハンドル（ウエイトハンドル（１１））を設ける。【選択図】図１
2007124008.tif 000002
【特許請求の範囲】
【請求項１】
運搬用のハンドルを備えた可搬型のテレビジョンカメラに取り付けられるバランス機構であって、
前記バランス機構は、前記ハンドルに取り付けられると共に、第２のハンドルを備えることを特徴とするテレビジョンカメラのバランス機構。
【請求項２】
請求項１に記載のテレビジョンカメラのバランス機構において、前記バランス機構は、前記ハンドルへの取り付け位置が可変とされることを特徴とするテレビジョンカメラのバランス機構。
【請求項３】
請求項１または２に記載のテレビジョンカメラのバランス機構において、前記バランス機構は、前記ハンドルを挟持する第１の半体と第２の半体の２分割構造とされることを特徴とするテレビジョンカメラのバランス機構。
【発明の詳細な説明】
【技術分野】
【０００１】
本発明は、運搬用のハンドルを備えた可搬型のテレビジョンカメラに取り付けられるバランス機構に関し、より詳しくは、可搬型のテレビジョンカメラが三脚に設置されたときの、前記テレビジョンカメラの重心位置を調整するバランス機構に関する。
【背景技術】
【０００２】
運搬用のハンドルを備えた可搬型のテレビジョンカメラ（ポータブルカメラ）としては、例えば下記の特許文献１に記載される技術が知られている。特許文献１に記載されるように、運搬用のハンドルはテレビジョンカメラの上部に設けられる。
【特許文献１】特開平１０−２５７３５９号公報（図１参照）
【０００３】
また、特許文献１に示されるような可搬型のテレビジョンカメラを、三脚に設置して使用することも従来行われている。
【発明の開示】
【発明が解決しようとする課題】
【０００４】
テレビジョンカメラを三脚に設置して使用する場合、テレビジョンカメラの重心位置はパンやチルトの操作性に大きく影響する。そのため、従来、テレビジョンカメラの重量位置を調整できることが望まれていた。
【０００５】
従って、本発明の目的は上記した課題を解決し、可搬型のテレビジョンカメラを三脚に設置したときの、前記テレビジョンカメラの重心位置を調整可能としたテレビジョンカメラのバランス機構を提供することにある。
【課題を解決するための手段】
【０００６】
本発明は上記課題を解決するため、テレビジョンカメラに設けられた運搬用のハンドルにバランス機構を取り付けると共に、前記バランス機構に第２のハンドルを設けるように構成した。
【０００７】
また、バランス機構は、テレビジョンカメラのハンドルへの取り付け位置が可変とされるように構成した。
【０００８】
また、バランス機構は、テレビジョンカメラのハンドルを挟持する第１の半体と第２の半体の２分割構造とされるように構成した。
【発明の効果】
【０００９】
本発明にあっては、テレビジョンカメラに設けられた運搬用のハンドルにバランス機構を取り付けるように構成したので、テレビジョンカメラを三脚に設置したときの、前記テレビジョンカメラの重心位置を調整することができ、よってテレビジョンカメラの操作性を向上させることができる。
【００１０】
また、バランス機構に第２のハンドルを設けるように構成したので、テレビジョンカメラのハンドルにバランス機構を取り付けた場合であっても、テレビジョンカメラの運搬に支障を来たすことがないと共に、バランス機構単体での持ち運びも容易となる。
【００１１】
また、テレビジョンカメラのハンドルへのバランス機構の取り付け位置を可変としたので、テレビジョンカメラの重心位置をより広範囲に調整することができ、よってテレビジョンカメラの操作性をより向上させることができる。
【００１２】
さらに、バランス機構を、テレビジョンカメラのハンドルを挟持する第１の半体と第２の半体の２分割構造としたので、バランス機構の構造を簡素化することができると共に、バランス機構の着脱作業を容易に行うことができる。
【発明を実施するための最良の形態】
【００１３】
以下、本発明に係るテレビジョンカメラのバランス機構について、図面を参照して説明する。
【実施例１】
【００１４】
図１は、本発明の第１実施例に係るテレビジョンカメラのバランス機構を示す側面図である。
【００１５】
図１において、符号１はテレビジョンカメラ（以下「カメラ」という）を示す。カメラ１は、カメラヘッド２、レンズ３およびビューファインダ４などを備え、三脚５に設置されて使用される一方で、可搬型のカメラ（ポータブルカメラ）としても使用される。
【００１６】
カメラヘッド２の前面２ａにはレンズ３が取り付けられ、カメラヘッド２の上面２ｂの後端付近にはビューファインダ４が取り付けられる。ビューファインダ４は、レンズ３を介して撮像された画像を表示すると共に、軸４ａを中心として上下軸周りに回転自在とされる。
【００１７】
三脚５の上部には雲台６が設けられ、雲台６の上部には三脚アダプタ７を介してカメラ１（具体的にはカメラヘッド２）が固定される。雲台６はパン機構とチルト機構を備え、よってカメラ１は、三脚５に設置された状態でパン操作およびチルト操作自在とされる。
【００１８】
尚、カメラ１をポータブルカメラとして使用する場合は、三脚アダプタ７からカメラヘッド２を取り外すと共に、カメラヘッド２からビューファインダ４を取り外す。カメラヘッド２の底面２ｃには、使用者がカメラ１を肩に担ぐ際に使用されるアーチ状のショルダーパッド８が設けられる。
【００１９】
カメラ１の上部、具体的にはカメラヘッド２の上面２ｂにおいてビューファインダ４と干渉しない位置には、運搬用のハンドル（取っ手。以下「カメラハンドル」という）９が設けられる。カメラハンドル９は、使用者に把持される把持部９ａを備える。把持部９ａは、上面２ｂの上方において、上面２ｂの前端付近から中央（前後方向における中央）付近にかけて、カメラ１の前後方向と平行に形成されると共に、その前端および後端から下方向（あるいは略下方向）に連続する部位９ｂ，９ｃを介し、上面２ｂに接続される。使用者は、この把持部９ａを把持することでカメラ１を運搬することができる。尚、カメラ１の重心位置は、ポータブルカメラとして使用されるときにショルダーパッド８の上方に位置するように設定される。
【００２０】
カメラハンドル９には、バランス機構であるウエイト１０が取り付けられる。ウエイト１０は、その上部（上面１０ａ）に運搬用の第２のハンドル（以下「ウエイトハンドル」という）１１を備え、ウエイトハンドル１１は使用者に把持される把持部１１ａを備える。把持部１１ａは、上面１０ａの上方においてカメラ１の前後方向と平行に形成されると共に、その前端から下方に連続する部位１１ｂを介し、上面１０ａに接続される。使用者は、かかる把持部１１ａを把持することで、カメラハンドル９にウエイト１０が取り付けられた場合であってもカメラ１を運搬することができる。
【００２１】
図２は、図１に示すウエイト１０を分解して表す斜視図である。尚、図２では、三脚５やカムヘッド６、三脚アダプタ７の他、レンズ３やビューファインダ４などの図示を省略した。
【００２２】
図２に示すように、ウエイト１０は、カメラ１の前後方向の中心線よりも右側（後方に向かって右側）に配置される第１の半体（以下「右ウエイト」という）１０Ｒと、左側に配置される第２の半体（以下「左ウエイト」という）１０Ｌの２分割構造とされる。右ウエイト１０Ｒと左ウエイト１０Ｌは、後述する孔やねじ穴を除いて形状が左右対称に形成されると共に、重量も等しく設定される。
【００２３】
図１および図２に示すように、右ウエイト１０Ｒと左ウエイト１０Ｌの前後方向の長さは、カメラハンドル９の把持部９ａの長さと略同じに設定される。また、右ウエイト１０Ｒと左ウエイト１０Ｌの高さは、カメラハンドル９の高さ（上面２ｂからの高さ）よりも大きく設定され、左右方向の長さは、把持部９ａの直径の２分の１よりも大きく設定される。
【００２４】
右ウエイト１０Ｒにおいて左ウエイト１０Ｌと対向する面１０Ｒ１には、カメラハンドル９の形状（具体的には把持部９ａおよび部位９ｃの一部の右側半分の形状）と合致する溝部１０Ｒ２が形成される。また、右ウエイト１０Ｒには、面１０Ｒ１とそれに対向する面１０Ｒ３の間を貫通する複数個（具体的には３個）の孔１０Ｒ４が形成される。
【００２５】
左ウエイト１０Ｌにおいて右ウエイト１０Ｒと対向する面１０Ｌ１には、カメラハンドル９の形状（把持部９ａおよび部位９ｃ一部の左側半分の形状）と合致する溝部１０Ｌ２が形成される。また、左ウエイト１０Ｌの面１０Ｌ１には、孔１０Ｒ４と対峙する複数個（３個）のねじ穴（図示せず）が形成される。
【００２６】
右ウエイト１０Ｒと左ウエイト１０Ｌは、溝部１０Ｒ２，１０Ｌ２にカメラハンドル９（把持部９ａ）が嵌め合わされて対向配置された後、複数本（３本）のねじ１２を孔１０Ｒ４に挿通し、左ウエイト１０Ｌに形成されたねじ穴に螺合させることにより、カメラハンドル９を挟持するようにしてカメラハンドル９に固定される。尚、ウエイト１０の底面１０ｂは、ウエイト１０がカメラハンドル９に固定されたときにカメラヘッド２の上面２ｂに当接、あるいは僅かな間隙のみが形成されるように、上面２ｂの形状に合わせて形成される。
【００２７】
このように、本発明の第１実施例にあっては、カメラ１の上部に設けられた運搬用のカメラハンドル９にバランス機構であるウエイト１０を取り付けるように構成したので、カメラ１を三脚５に設置したときのカメラ２の重心位置を調整することができ、よってカメラ１の操作性（パンやチルトの操作性）を向上させることができる。
【００２８】
ところで、カメラ１が固定される三脚５のバランス性能（安定性）において、搭載物の重量と重心高さの間には相反関係が存在する。例えば、搭載物の重量が小さいときは、重量が大きいときよりも重心位置が高い方がバランス性能は向上する。そのため、カメラ１の重量が小さいときは、重量を増加させるか、重心位置を高くする必要がある。本願にあっては、カメラの最上部に設けられるのが通常であるカメラハンドル９にウエイト１０を取り付けるように構成したことから、重心位置を効果的に上方に移動させることができる。従って、搭載物の重量増加を抑制しつつ、三脚５のバランス性能を向上させることが可能となり、カメラ１の操作性をより向上させることができる。
【００２９】
また、カメラヘッド２の後端付近にビューファインダ４を取り付けると重心位置が後方に移動するが、カメラヘッド２の前端付近から中央付近にかけて形成されたカメラハンドル９にウエイト１０を取り付けることで、かかる重心移動を相殺することができる。そのため、カメラ１の操作性をより一層向上させることができる。
【００３０】
また、ウエイト１０にウエイトハンドル１１を設けるように構成したので、ウエイト１０をカメラハンドル９に取り付けた場合であっても、カメラ１の運搬に支障を来たすことがないと共に、ウエイト１０単体での持ち運びも容易となる。
【００３１】
さらに、ウエイト１０を、カメラハンドル９を挟持する右ウエイト１０Ｒと左ウエイト１０Ｌの２分割構造としたので、ウエイト１０の構造を簡素化することができると共に、ウエイト１０の着脱作業を容易に行うことができる。
【実施例２】
【００３２】
次いで、本発明の第２実施例に係るテレビジョンカメラのバランス機構について説明する。図３は、第２実施例に係るテレビジョンカメラのバランス機構を示す側面図であり、図４は、図３に示すバランス機構を分解して表す斜視図である。尚、第１実施例と同様な構成については、同一符号を付して説明を省略する。
【００３３】
図３および図４に図示の如く、第２実施例に係るバランス機構であるウエイト２０は、第１実施例で説明したウエイト１０と同様に、その上部（上面２０ａ）にウエイトハンドル１１を備える。また、ウエイト２０は右ウエイト（第１の半体）２０Ｒと左ウエイト（第２の半体）２０Ｌの２分割構造とされる。右ウエイト２０Ｒと左ウエイト２０Ｌは、後述する孔やねじ穴を除いて形状が左右対称に形成されると共に、重量も等しく設定される。
【００３４】
右ウエイト２０Ｒと左ウエイト２０Ｌの前後方向の長さは、カメラハンドル２２の把持部２２ａの長さよりも小さく設定される。また、ウエイト２０の底面２０ｂとカメラヘッド２の上面２ｂの間には、それらが干渉しないように所定の間隙が設けられる。
【００３５】
右ウエイト２０Ｒは、左ウエイト２０Ｌと対向する面２０Ｒ１に形成された溝部２０Ｒ２を備えると共に、面２０Ｒ１と面２０Ｒ３の間を貫通する複数個（３個）の孔２０Ｒ４を備える。溝部２０Ｒ２は、把持部２２ａの右半分の形状と合致するように形成される。
【００３６】
また、左ウエイト２０Ｌは、面２０Ｒ１と対向する面２０Ｌ１に形成された溝部２０Ｌ２を備えると共に、面２０Ｌ３に形成されたねじ穴（図示せず）を備える。溝部２０Ｌ２は、把持部２２ａの左半分の形状と合致するように形成される。
【００３７】
尚、カメラハンドル２２の把持部２２ａは、その前端から後端にかけて断面形状が均一とされる。従って溝部２０Ｒ２，２０Ｌ２も、その前端から後端にかけて幅および深さが均一とされる。
【００３８】
そのため、ウエイト２０は、把持部９ａの前端から後端までの任意の位置に取り付け自在とされる。換言すれば、カメラハンドル９へのウエイト２０の取り付け位置が前後方向に可変とされる。これにより、第２実施例にあっては、第１実施例で述べた効果に加え、カメラ１の重心位置をより広範囲に、より詳しくは前後方向に調整することができる。カメラの前後方向の重心位置は使用者によって好みが異なるため、上記の如く構成することで、カメラの操作性をより一層向上させることができる。
【００３９】
尚、第１および第２実施例で説明したカメラハンドルやウエイトの形状は例示であり、図に記載のものに限定されるものではない。例えば第２実施例では把持部２２ａの断面形状を前端から後端にかけて均一としたが、使用者が把持し易いように把持部２２ａの下部を波型に形成してもよい。この場合、各波のピッチと高さを均一にすると共に、かかる波に合致する溝部をウエイトに形成することで、ウエイトの取り付け位置を各波のピッチずつ前後方向に変化させることも可能である。
【図面の簡単な説明】
【００４０】
【図１】本発明の第１実施例に係るテレビジョンカメラのバランス機構を示す側面図である。
【図２】図１に示すバランス機構を分解して表す斜視図である。
【図３】本発明の第２実施例に係るテレビジョンカメラのバランス機構を示す側面図である。
【図４】図３に示すバランス機構を分解して表す斜視図である。
【符号の説明】
【００４１】
１：テレビジョンカメラ、  ２：カメラヘッド、  ９：カメラハンドル（第１のハンドル）、  １０：ウエイト（バランス機構）、  １０Ｒ：右ウエイト（第１の半体）、  １０Ｌ：左ウエイト（第２の半体）、  １１：ウエイトハンドル（第２のハンドル）、  ２０：ウエイト、  ２０Ｒ：右ウエイト（第１の半体）、  ２０Ｌ：左ウエイト（第２の半体）、  ２２：カメラハンドル（第１のハンドル）
【図１】
2007124008.tif 000003
【図２】
2007124008.tif 000004
【図３】
2007124008.tif 000005
【図４】
2007124008.tif 000006